(57)【要約】      （修正有）【課題】個々の磁石体を所定時間ごとに反転回動させるような駆動装置を設けると、その構造は複雑となり高価格となっている。これらの問題点に鑑み、個々の磁石体を電気的に制御することなく、シートなどに配置した多数の磁石体を一斉に駆動させる磁気治療器を提供する。【解決手段】磁石体１をカプセル内に回動自在に収納した多数の磁石カプセル２を、軟質樹脂シート３などに、所定の間隔をもって配設した磁気放射シートＡと、磁極を交互あるいは不規則に配置させた磁石回動操作シートＢによって構成し、磁気放射シートに近接して磁石回動操作シートを移動させる構成とする。【選択図】図１
2013233388.tif 000002
【特許請求の範囲】
【請求項１】
本発明は、磁石体をカプセル内に回動自在に収納した多数の磁石カプセルを、軟質樹脂シートなどに所定の間隔をもって配設した磁気放射シートと、磁極を交互あるいは不規則に配置させた磁石回動操作シートによって構成し、磁気放射シートに近接して磁石回動操作シートを移動させることを特徴とする磁気放射シートと磁石回動シートによる磁気治療器。
【請求項２】
磁気放射シートを、患部に貼着もしくはしほぼ動かない状態に保ちつつ、それに近接して、磁気駆動操作シートを体の動きに連動しやすく配置したことを特徴とする請求項１の磁気放射シートと磁石回動シートによる磁気治療器。
【請求項３】
磁気放射シートをアイマスク形状とし、目の周りのツボ位置に対応して磁石カプセルを配設し、その上に、左右に移動可能な磁石回動操作シートを重ね、あごの動きに連動させることを特徴とする請求項１の磁気放射シートと磁石回動シートによる磁気治療器。
【請求項４】
磁気放射シートを手袋状とし、爪もみ療法のツボに対応した手袋の指先に、磁石カプセルを配設し、その掌部に磁気放射シートを付設したことを特徴とする請求項１の磁気放射シートと磁石回動シートによる磁気治療器。
【請求項５】
帽子状に構成した磁気放射シートに、帽子状に構成した磁気駆動操作シートを重ねて載置し、磁気放射シートに設けた駆動装置によって、磁気駆動操作シートを回転させることを特徴とする請求項１の磁気放射シートと磁石回動シートによる磁気治療器。
【請求項６】
磁気駆動操作シートを、樹脂シートに平面コイルまたは薄厚コイルを付設したことを特徴とする請求項１の磁気放射シートと磁石回動シートによる磁気治療器。
【請求項７】
磁石カプセル２を配設した磁気放射シートに、平面コイルまたは薄厚コイルを、全面もしくは配設された個々の磁石カプセル毎に設けてつなぎ通電することを特徴とする磁気治療器。
【発明の詳細な説明】
【技術分野】
【０００１】  本発明は、球型磁石または径方向磁極の円柱型磁石を回動自在に収納させたカプセルを、シートもしくは布面に付設して患部に載せ、その外面から、付属の磁気駆動シートによって、カプセル内の磁石を頻繁に回動させる磁気治療器に関する。
【背景技術】
【０００２】  磁気治療において、より有効とされる変動磁場を利用するために、回動自在にカプセル内に収納した永久磁石体（以下、磁石体と称す）を、付属の電池ならびに電源制御回路によって、電磁コイルまたはマイクロモーターを駆動し、間欠的に反転回動するものがある。
【先行技術文献】
【特許文献】
【０００３】
【特許文献１】特開２００３−６２０９１号公報
【非特許文献】
【０００４】
【非特許文献１】株式会社エス・エス・シィ発売の「コランズ」カタログ
【発明の概要】
【発明が解決しようとする課題】
【０００５】  カプセル内に回転自在に収納した磁石体を回転させて生ずる変動磁場は、単に磁石体を貼付しただけの定常磁場よりも、血行促進などではるかに大きな効果を起こすことは、サーモグラフィによる実験でも証明されている。しかし、個々の磁石体に、所定時間ごとに反転回動させるような駆動装置を設けると、どうしても構造は複雑となり、商品化されたものを見ても、少なくとも径３０ｍｍ程度と大きく、高価格となっている。【０００６】  本発明者は、これらの問題点に鑑み、個々の磁石体に電池や電源制御回路や駆動装置を付設することなく、シートまたは布などに配置した多数の磁石体を一斉に駆動させる磁気治療器の開発を課題とした。
【課題を解決するための手段】
【０００７】  本発明は、球型または円柱型の磁石体をカプセル内に回動自在に収納した多数の磁石カプセルを、軟質樹脂シートなどに、所定の間隔をもって配設した磁気放射シートと、磁極を交互あるいは不規則に配置させた磁石回動操作シートによって構成し、磁気放射シートに近接して磁石回動操作シートを移動させ変動磁場を発生させる。
【発明の効果】
【０００８】  本発明は、磁気放射シートと磁石回動操作シートによって構成され、磁気放射シートに数多く配設されている磁気カプセル内には、ネオジウムなどの強力な磁石体が収納されているので、それ自体が強力な磁気を放射して患部に働く（定常磁場）が、その上から、磁石回動操作シートを近接状態で動かすと、その磁極の変化によって、磁気放射シートに設けられた磁気カプセル内の全ての磁石体は一斉に回動し、その際の頻繁な磁極の変動に伴って変動磁場を発生させる。【０００９】  その状態を、実施例１によって具体的に説明する。まず、磁石回動操作シートを、市販されている厚さ１〜２ｍｍの片面着磁のラバー磁石によって構成したとすると、その着磁ピッチは一般に２〜３ｍｍ程度である。従って、磁石回動操作シートを１０ｃｍくらい動かすだけで、磁気放射シートに配置されている多数の磁石体の磁極を、一斉に３０〜５０回くらい変化させることが可能となり、１秒に１〜２回往復させるとすると、優に１００〜２００回程度の磁極変化をさせることができる。この磁場の膨大な変化は、磁気治療器としての治療効果の向上に役立つものと期待できる。【００１０】  実施例２は、意識的に磁石回動操作シートを動かさなくても、日常的な体の動きによって磁石回動操作シートが連動するようにしたものである。その一例として、肩こり治療を目的として、シャツに配置した磁石回動操作シートと、上着に配置した磁石回動操作シートを挙げているが、肌に密着してあまり動かない磁気放射シートに対して、その上に羽織っている上着に配置している磁石回動操作シートは、日常の無意識の動きの度に、何十回かの磁石体の回動が起こり、磁気治療に特に有効とされる変動磁場を発生させることができる。また、この相対的な動きのずれは、肩患部だけではなく、古紙・腹・肘・手首・膝・足首・足裏など各所患部においても見出せるので、その個所に応じた磁気治療具への応用が可能である。【００１１】  実施例３は、目の周りのツボに密着するアイマスク形状の磁気放射シートに近接して、あごの動きで連動する磁石回動操作シートを設けている。従って、意図的なあごの動きのほかに、日常的なおしゃべりや朗読などによっても、その両者の相対的な動きが生じ、磁気カプセル内の磁石体はめまぐるしく回転し、それによって生じる変動磁場によって、視力回復などの磁気治療効果が期待できる。【００１２】  実施例４は、手袋に組み込んだ爪もみ療法用の磁気治療器であって、着用して両手をこすり合わせると、爪もみのツボ位置に対応して、手袋の指位置に配置した磁気カプセル内で、磁石体が相互に感応して敏感に回転する。また、掌には磁石回動操作シートとして、片面着磁のラバー磁石を付設しているので、一方の手袋の磁気カプセルと他方の手袋のラバー磁石をすり合わせると、その着磁ピッチに合わせて磁極の変化が起きるため、磁気カプセル内の磁石体は頻繁に回動し、その磁気治療効果は一層大きくなることが期待される。【００１３】  実施例５は、いずれも帽子状に形成した磁気放射シートの上に磁石回動操作シートをかぶせ、磁気放射シートの頭頂部に設けた駆動装置によって、近接したまま回転を行なうことが可能となる。これによって、磁気カプセル内の磁石体は、めまぐるしく回動して変動磁場を発生させるので、頭皮ならびに脳内の血行を良くする磁気治療効果を発揮することが期待できる。【００１４】  実施例６は、磁石回動操作シートに、渦巻き状の平面コイルを付設して電源部とつないだもので、通電によって磁力線が発生し、磁気カプセル内の磁石体を回動させることができる。実施例１〜５における磁石回動操作シートと、必要に応じて取り替えて利用すれば、磁気放射シートに配設した磁石カプセル内の磁石体を、自動的な駆動に切り替えることが出来る。家庭の交流電源を利用すれば、そのサイクルに合わせて毎秒数十回もの回動反転が起こり、磁気治療効果もより大きくなると期待できる。
【図面の簡単な説明】
【００１５】
【図１】  本発明を実施するための基本となる第１形態の説明図である。
【図２】  本発明を実施するための第２の形態の説明図である。
【図３】  本発明を実施するための第３の形態の説明図である。
【図４】  本発明を実施するための第４の形態の説明図である。
【図５】  本発明を実施するための第５の形態の説明図である。
【図６】  本発明を実施するための第６の形態の説明図である。
【図７】  本発明の磁気放射シートＡの形態についての説明図である。
【発明を実施するための形態】
【００１６】  以下、本発明の実施の形態を図に基づいて説明する。
【実施例１】
【００１７】  本発明の実施例１は、本発明の基本となるもので、磁気放射シートＡと磁石回動操作シートＢによって構成する。磁気放射シートＡは、球型または径方向に着磁した円柱型の磁石体１を、回動自在に収納した磁石カプセル２を、シート３に２〜３ｃｍ程度の間隔で配設して構成する。磁石回動操作シートＢは、厚さ１〜２ｍｍの片面着磁のラバー磁石４を、保持具５に付設して構成する。保持具５は、ラバー磁石４を手の動きと一体化させるためのもので、図示はその一例として手袋状の構成としているが、特に限定するものではない。また、片面着磁の着磁ピッチは、市販品の規格としては２〜３ｍｍ程度である。ラバー磁石４を、磁気放射シートＡの上面に近接しながら動かすと、磁気カプセル２内に収納している磁石体１は、ラバー磁石４の着磁ピッチの極性に反応して回動し、ＮＳの極性を交互に反転させる。【００１８】  尚、シート３は軟質樹脂シート、最適にはシリコンゴムシートによって構成するが、硬質樹脂シートでもよいし、重ね合わせた布製のシートであってもよい。また、片面着磁のラバー磁石４に代えて、やや弱いミニ磁石の磁極を交互に組み合わせ配設してもよい。
【実施例２】
【００１９】  実施例１で述べたように、市販されている片面着磁のラバー磁石４の着磁ピッチは２〜３ｍｍ程度である。従って、磁気放射シートＡに近接した磁石回動操作シートＢが、何らかの動きに連動して僅か数ｍｍ動くだけでも、磁気カプセル２内の磁石体１を実施例１と同様に回動反転させることが可能である。実施例２は、この点に着目して行なうもので、肩こりの患部・腰痛の患部・膝痛の患部・静脈瘤の患部など、体の各所の動きを伴う個所で実施が可能であるが、その中の肩こりの患部に用いる実施例を図２によって説明する。【００２０】  まず、磁気放射シートＡは患部となる肩のあたりに当てて留める。留め方は、医療用粘着テープを利用して直接肌に貼っても良いが、図２では、シャツ６を利用し、肩こりの患部位置に対応してポケット７を設けて磁気放射シートＡを収納する。そして、磁石回動操作シートＢは、シャツ６の上に羽織る上着８の裏側、磁気放射シートＡに対応する位置にポケット９を設けて収納する。【００２１】  肌着となるシャツ６は、肌に密着してあまり動くことはないが、その上に羽織っている上着８は、シャツ６に接しながらも、体の動きに連動して比較的自由に動くことが可能である。従って、両者のポケット７ならびにポケット９に収納している磁気放射シートＡと磁石回動操作シートＢは、体が動くたびに、近接状態のまま、相対的な動きが自然に発生し、その都度、磁気放射シートＡに配置された磁石カプセル２内の磁石体１は、敏感に回動反転する。尚、磁気放射シートＡを直接肌に貼って利用する場合には、シャツ６のポケット７に磁石回動操作シートＢを収納して利用する。その場合にも、両者の間には相対的な動きが起こり、前述と同じように、磁気放射シートＡに配置された磁石カプセル２内の磁石体１は、敏感に回動反転する。
【実施例３】
【００２２】  この実施例３は、目の周りのツボ刺激のように、自然の体の動きによっては、磁気放射シートＡと磁石回動操作シートＢとの相対的な動きを生じない場合について、相対的な動きを起こすように開発したものである。図３によって説明する。【００２３】  磁気放射シートＡをアイマスク形状にして、耳かけ具１０によって両耳にかけれるようにする。眼前の視野を遮らないよう、一対の窓１１を設ける。そして、目の周りのツボ位置に対応する個所に磁石カプセル２を配設する。磁気放射シートＡの中央位置、即ち窓１１の中間にバネ１２を設け、その左右に、磁気放射シートＡに重ね合わせるように、ほぼ同形の磁石回動操作シートＢを配置し、磁気放射シートＡの上下に設けたスライド受け１３によってスライド可能に取りつける。磁石回動操作シートＢの外側端につないだ左右の紐１４は、耳かけ具１０に設けた紐かけ具１５を通してあご下でつなぎ、長さ調節して軽く留める。【００２４】  この状態であごを上下させると、その動きは、紐１４を介して、バネ１２の左右に配した磁石回動操作シートＢを、バネ１２の伸縮を利用しながら左右に動かす働きに変わる。その結果、磁気放射シートＡに設けた磁気カプセル内の磁石体１は、前記実施例と同様に、敏感に回動反転する。
【実施例４】
【００２５】  実施例４は、近年着目され多くの人が実施している爪もみ療法を、最も合理的かつ有効に実施するためのものである。爪もみ療法とは、爪の生え際の角の約２ミリ下を、逆側の手の親指と人差し指で強く押すと、自律神経のバランスを整え免疫力がアップすると言われる。ところが、この指でツボ刺激を与えるのは、指も疲れるし面倒でもあるので、電子鍼の高電圧をあてる方法や、ＬＥＤランプからの近赤外線とか磁石からの強磁力をあてる方法も行なわれている。本実施例は、このネオジウム磁石の強い磁力線を用いる方法を、更に簡単でより効果的に改良したもので、図４によって説明する。【００２６】  手袋１６に指を差し込んだ状態で、爪もみ療法のツボ位置に対応する個所に、磁気カプセル２を配設し、掌部分に、厚さ１〜２ｍｍで着磁ピッチ１〜５ｍｍの片面着磁のラバー磁石４を付設する。【００２７】  この磁気カプセル２は、ネオジウムの磁石体１を収納しているので、そのままでも、少なくとも１０００〜３０００ガウス以上の磁力を所定のツボ位置に与え、磁気治療としては有効である。ところが、磁気カプセル２内の磁石体１は、回転自在に収納されているので、手袋１６を着用したまま両手をすり合わせたり、爪部分同士をすり合わせたりすると、両手袋１６に配設されている磁気カプセル２内の磁石体１は、相互に影響し合って回動反転を繰り返し、顕著な磁極変化が起きる。【００２８】  また、掌部分に付設してある片面着磁のラバー磁石４に、他方の手袋１６の磁気カプセル２部分をすり合わせることで、磁気カプセル２内の磁石体１を頻繁に回動反転させ、同様な顕著な磁極変化を起こすことが出来る。
【実施例５】
【００２９】  実施例５は、、磁気放射シートＡに重ねた磁石回動操作シートＢを、ゼンマイもしくはモーターによって機械的に回転させ、磁気放射シートＡに付設した磁気カプセル２内の磁石体１の回動反転を誘発させるものである。図５はその一例で、頭部に磁気治療を行なうための実施例である。【００３０】  磁石体１を収納した磁気カプセル２を付設した磁気放射シートＡを帽子形状に構成し、その頂上部に、駆動装置１７を設ける。同じく帽子形状に構成した磁石回動操作シートＢを、帽子形状に構成した磁気放射シートＡに重ねて載せ、駆動装置１７によって回転可能とする。その回転速度は速くする必要は無く、毎分１〜２回転程度で十分である。【００３１】  磁石回動操作シートＢの回転速度は、毎分１〜２回転程度であっても、ラバー磁石４の着磁ピッチは細かいので、磁石体１の回動反転は頻繁に起こり十分である。
【実施例６】
【００３２】  実施例６は、磁石回動操作シートＢを、図６に示すように、シリコンゴムなど軟質樹脂によって構成するシート３に、渦巻き状の平面コイル１８を付設する。平面コイル１８は、シート３面に大きく突出させない程度の極薄厚のコイルであってもよい。平面コイル１８の形状は、円形タイプ・角形タイプあるいは長円形タイプなど、シート３の形状に合わせ、その両端を電源部１９につなぐ。電源部１９は、家庭用１００Ｖ電源に所定電圧のアダプターをつないだ交流電源を利用する。これにより、磁石カプセル２内の磁石体１は、毎秒５０〜６０回も反転し、その磁極変化は、患部への大きな磁気効果が期待できる。尚、携帯用の電源部１９としては、当然、電源制御回路を付設した電池を必要となる。【００３３】  実施例６による磁石回動操作シートＢは、実施例１〜５における各磁石回動操作シートＢとは別に用意しておいて、必要に応じて取り替えて使用することが出来る。そうすると、磁気放射シートＡに配設した磁石カプセル２内の磁石体１を、人為的な動きによらないで、自動的な駆動に切り替えることが可能である。その場合、磁気放射シートＡに近接して磁石回動操作シートＢを動かす必要は無いので、布ファスナーなどで両者を接合して一体化すると使いやすくなる。【００３４】  この一体化を更に進めると、一枚のシートとして構成することも可能である。即ち、磁石カプセル２を配設した磁気放射シートＡにのシート３に、平面コイル１８を実施例６と同様に、全面、もしくは配設された個々の磁石カプセル２に対応して配置固定すればよい。【００３４】  尚、以上述べた磁気放射シートＡについては、シリコンゴムなどの軟質樹脂シート、あるいは、重ね合わせた布製のシートであってもよく、要は、磁石カプセル２を配設するためのものであって、必要ならば、硬質樹脂によるシートであってもよい。軟質あるいは硬質の樹脂シートの場合、図７に示すように、２枚の樹脂シート２０の所定の個所に凹部２１を設け、その凹部２１に磁石体１を収納して貼り合わせることで、その凹部２１の重なりを磁気カプセル２とみなし、樹脂シート２０と磁気カプセル２を一体化してもよい。
【産業上の利用可能性】
【００３５】
【符号の説明】
【００３６】  Ａ  磁気放射シート
Ｂ  磁石回動操作シート
１  磁石体
２  磁石カプセル
３  シート
４  ラバー磁石
５  保持具
６  シャツ
７  ポケット
８  上着
９  ポケット
１０  耳かけ具
１１  窓
１２  バネ
１３  スライド受け
１４  紐
１５  紐かけ具
１６  手袋
１７  駆動装置
１８  平面コイル
１９  電源部
２０  樹脂シート
２１  凹部
【図１】
2013233388.tif 000003
【図２】
2013233388.tif 000004
【図３】
2013233388.tif 000005
【図４】
2013233388.tif 000006
【図５】
2013233388.tif 000007
【図６】
2013233388.tif 000008
【図７】
2013233388.tif 000009